(57)【要約】【課題】ブロックを仮置き状態でレイアウトを確認する際に周方向への移動を自在としてレイアウト確認をし易くするとともに、複数個のブロックを配列した際の最外部のブロックの外側のおける外観の美観を損なうことが無いブロックを提供する。【解決手段】円弧状に形成されたブロックであって、前記ブロックの半径方向の内側の端面と、周方向の両端面において、前記ブロックの厚さ方向に延設された凸状の目地保持部を設け、前記周方向の両端面の目地保持部は、互いに前記半径方向にずらして設けたことを特徴とする。【選択図】      図３
0003124652.tif 000002
【実用新案登録請求の範囲】
【請求項１】
円弧状に形成されたブロックであって、前記ブロックの半径方向の内側の端面と、周方向の両端面において、前記ブロックの厚さ方向に延設された凸状の目地保持部を設け、前記周方向の両端面の目地保持部は、互いに前記半径方向にずらして設けたことを特徴とするブロック。
【考案の詳細な説明】
【技術分野】
【０００１】
本考案は、歩道や広場、公園、商店街通路などの屋外路面、デパート、ホテル、ショッピングモール、ホールなどの建造物内部の土足で歩行する床面を円形や波型に舗装するブロックに関する。
【背景技術】
【０００２】
屋外路面や建造物内部の床面を装飾的に舗装するブロックとしてインターロッキングブロックと称されるブロックが知られており、中でも円弧型ブロックは、敷設したときの景観が円形模様や波型模様を実現することができるので高級感のある舗装をすることができるブロックとして使用されている。
従来の円弧状ブロックとして、全体形状が円弧状からなる所定の厚みを有するブロックで、中央部のブロックと、その両側の一対の裾部のブロックとに分割されており、これらの分割されたブロック単体を組み合わせることによって円弧が形成されているものが提案されている（たとえば、特許文献１参照）。そして、半径方向の外側円弧には所定の間隔を保持して複数の突起が設けられ、内側円弧には外側円弧に設けた複数の突起を挟み込む形で複数の突起が設けられている。外側円弧に設けられた突起と、外側円弧と隣接する他のブロックの内側円弧に設けた複数の突起との間で凹凸を形成して組付けの際のガイドにするとともに、目地幅保持部としての作用も兼ねている。
しかし、円弧状ブロックの半径方向の外側円弧に設けられた目地幅保持部と、その内側に位置する目地幅保持部とがぶつかるために仮置き状態でレイアウトする場合に周方向にブロックが移動できないという問題があった。また、複数個の円弧状ブロックを配列した際に、最外部のブロックの外側円弧に複数の突起が形成されているため、外観的な美観を損なうという問題があった。
【０００３】
【特許文献１】特開平１０−２５７０３号公報（たとえば、（００２５）〜（００３０）、（００３７）〜（００３９）および図１、図２など）
【考案の開示】
【考案が解決しようとする課題】
【０００４】
そこで本考案はかかる問題点を解消し、ブロックを仮置き状態でレイアウトを確認する際に周方向への移動を自在としてレイアウト確認をし易くするとともに、複数個のブロックを配列した際の最外部のブロックの外側のおける外観の美観を損なうことが無いブロックを提供することを目的とする。
【課題を解決するための手段】
【０００５】
上記課題を解決すべく、本願考案は、円弧状に形成されたブロックであって、前記ブロックの半径方向の内側の端面と、周方向の両端面において、前記ブロックの厚さ方向に延設された凸状の目地保持部を設け、前記周方向の両端面の目地保持部は、互いに前記半径方向にずらして設けたことを特徴とする。
【考案の効果】
【０００６】
本考案によれば、複数のブロックを半径方向及び周方向に配列して円形乃至円弧状等に配置するために位置決めを行う際、周方向への移動がし易くなる。また、複数個のブロックを半径方向及び周方向に配列して円形状の舗装をする場合、最外部のブロックの半径方向の外側端面に目地幅保持部や施工ガイドなど外観を損なう要素がないので、外観を損なうことが無い円形状の配置を行うことができる。
【考案を実施するための最良の形態】
【０００７】
以下に、本考案のブロックの一実施の形態を図面に基づいて説明する。
図１（ａ）及び（ｂ）は本考案のブロックを径方向に６段配列して円形状の配置を行ったときのブロック配列の平面図である。同図（ａ）において、円形状ブロック１０は、扇形ブロック１１と、扇形ブロック１１の外側の円弧面に隣接して半径方向に配置された円弧状ブロック１２と、円弧状ブロック１２の外側の円弧面に隣接して半径方向に配置された円弧状のブロック１３と、円弧状ブロック１３の外側の円弧面に隣接して半径方向に配置された円弧状のブロック１４と、円弧状ブロック１４の外側の円弧面に隣接して半径方向に配置された円弧状ブロック１５と、円弧状ブロック１５の外側の円弧面に隣接して半径方向に配置された円弧状ブロック１６とから構成されている。
扇形ブロック１１は、図２に示すように、曲率半径Ｒ１の円形を９０度毎に４つに分割した扇形をしており、曲率半径Ｒ１の半径方向の外側端面２１とブロックの周方向の端面２２、２３を有するブロックである。ブロックの周方向の端面２２、２３の各々に複数の目地保持部２４、２５が厚さ方向に延設するように凸状に設けられている。目地保持部２４、２５は、隣接配置される他の扇形ブロックの目地保持部と半径方向において互い違いになるように、一方の周方向の端面２２では中心側に目地保持部２４が設けられ、他方の周方向の端面２３では中心から離れる側に目地保持部２５が設けられている。
【０００８】
円弧状ブロック１２は、図３に示すように、曲率半径Ｒ２を有する半径方向の内側の円弧状の端面３１と、曲率半径Ｒ２より大きい曲率半径Ｒ３を有する半径方向の外側の円弧状の端面３２とを有し、内側端面３１と外側端面３２の各々の両端部が平坦な側面３３、３４で連結されている円弧状の第２のブロックであり、半径方向の内側端面３１には厚さ方向（上下方向）に延設された目地保持部３５、両端部の側面３３、３４の各々には複数の目地保持部３６、３７が設けられている。
円弧状ブロック１３、１４、１５、１６も本質的に円弧状ブロック１２と同様の構成をしている。
このように、扇形ブロック１１および円弧状ブロック１２、１３、１４、１５、１６は、その半径方向の外側端面には目地保持部を有しておらず、目地保持部は扇形ブロック１１においてはブロックの側面２１、２２に、円弧状ブロック１３、１４、１５、１６においては周方向の両端面に形成されている。
【０００９】
つぎに、図４により本考案のブロックの施工方法について説明する。
まず、４個の扇形ブロック１１を用意し、各扇形ブロック１１の周方向の端面２２、２３を互いに近接させて配置することにより小円ブロック配置４１を形成する。各扇形ブロック１１の周方向の端面２２、２３にはそれぞれ目地保持部２４、２５が形成されているので、各扇形ブロック１１間には目地保持部２４、２５の高さに相当する一定の間隙が形成され、その間隙内に目地材を挿入することにより扇形ブロック１１は互いに固定される。
つぎに、４個の扇形ブロック１１で構成された小円ブロック配置４１の外側に、複数の円弧状ブロック１２、図４の例では、全体を図１で示すように円周方向に１２分割した１２個の円弧状ブロック１２を配置して２段目の小円ブロック配置４２を形成する。各円弧状ブロック１２の周方向の両端面３３、３４にはそれぞれ目地保持部３６、３７が形成されているので、各円弧状ブロック１２間には目地保持部３６、３７の高さに相当する一定の間隙が形成され、その間隙内に目地材を挿入する。また、各円弧状ブロック１２には上述したようにその半径方向の内側の端面３１にも目地保持部３５が形成されているので、小円ブロック配置４１を構成している扇形ブロック１１の半径方向の外側端面２１との間に目地保持部３５の高さに相当する一定の間隙が形成され、その間隙内に目地材を挿入する。こうして扇形ブロック１１による小円ブロック配置４１の外側、すなわち半径方向に２段目の円弧状ブロック１２が配置されて互いに固定される。
この状態で施工を終了した場合は、２段構成の円形舗装を半径方向及び周方向いずれの方向においても所定の目地幅を正確に維持して形成することができる。また、２段目のブロックである円弧状ブロック１２の半径方向の外側端面は円弧状の曲面であって目地幅保持部がないので、外観を損なう要素がないので、２段目の小円ブロック配置４２の外周における外観としての美観を損なうこと無く、円形状の舗装を行うことができる。
また、１段目の扇形ブロック１１の半径方向の外側端面２１には目地保持部が無いので、１段目の小円ブロック配置４１の外周に対して２段目の小円ブロック配置４２を構成する円弧状ブロック１２の位置を１段目の扇形ブロック１１の位置に対してスライドさせて配置を決めることができる。また、ブロック配置による目地模様を適宜選択することができる。
円形舗装の径をさらに大きくする場合には、図１に示すように、２段目の円弧状ブロック１２の外側に３段目の円弧状ブロック１３、３段目の円弧状ブロック１３の外側に４段目の円弧状ブロック１４、４段目の円弧状ブロック１３の外側に５段目の円弧状ブロック１５、５段目の円弧状ブロック１５の外側に６段目の円弧状ブロック１６を設けるようにすればよい。
このようにすれば、図１（ａ）に示すように６段目の円弧状ブロック１６を最外周部とする大径の円形ブロックが完成する。このとき、６段目の円弧状ブロック１６を最外周部には目地保持部が形成されていない。したがって、円形ブロックの外周面は円弧状の曲面であるので、外観としての美観を損なうことも無い。尚、同図（ｂ）は円弧状ブロック１２、１３、１４、１５、１６を周方向にずらして配置したものを示す。
【００１０】
図５は扇形ブロック１１および円弧状ブロック１２、１３、１４、１５、１６の６種類のブロックを同時に焼成して製造する際の配置を示す。通常、ブロックの焼成は窯で焼成して行なうので、小型の窯で多数のブロックを焼成するには同一種類、同一形状のものを同時焼成するのが効率的である。この方法によれば、６種類のブロックを焼成するには６回焼成する必要がある。
本考案においては、扇形ブロック１１および円弧状ブロック１２、１３、１４、１５、１６の６種類のブロックは独特の形状をしているので、図５のように配置すれば６種類のブロックを小面積で配置することができる。したがって、６種類のブロックを１セットとして小型の窯で同時焼成することができるので、効率的に製造することができる。
【００１１】
上記実施の形態においては、円形状ブロック１０として、扇形のブロック１１と５種類の円弧状ブロック１２、１３、１４、１５、１６による６段構成の実施の形態について説明したが、円弧状ブロックの段数を任意に選択することにより任意の段数による円形状の舗装を行うことができる。
また、扇形のブロック１１を使用せずに、円弧状ブロック１２、１３、１４、１５、１６のみを半円形に複数段形成したグループを複数組用意し、各組を半円ごとに向きを変えて配置することにより波型模様の舗装をすることができる。
また、扇形ブロック１１は、曲率半径Ｒ１の円形を４分割以外に、３以上の任意の数に等分割した扇形としてもよい。
また、円弧状ブロック１２を円周方向に１２分割した１２個の円弧状ブロック１２とした場合について説明したが、１２個に限らず、任意の数に分割して任意の数の円弧状ブロックとすることができる。同様に、円弧状ブロック１３、１４、１５、１６も円周方向に任意の数に分割した任意の数の円弧状ブロックとすることができる。
【産業上の利用可能性】
【００１２】
本考案のブロックは、歩道や広場、公園、商店街通路などの屋外路面や、デパート、ホテル、ショッピングモール、ホールなどの建造物内部の土足で歩行する床面を円形や波型に舗装するブロックに適用して好適である。
【図面の簡単な説明】
【００１３】
【図１】（ａ）本考案によるブロックを半径方向に６段配列して円形状の配置を行ったときのブロック配列の正面図，（ｂ）同ブロックの周方向への移動を行ったときのブロック配列の正面図
【図２】本考案によるブロックにおける円弧状ブロックの正面図
【図３】本考案によるブロックにおける円弧状ブロックの斜視図
【図４】本考案によるブロックの施工状態の斜視図
【図５】本考案によるブロックを製造する際の配置関係を示す平面図
【符号の説明】
【００１４】
１０  円形状ブロック
１１  円弧状ブロック
１２、１３、１４、１５、１６  円弧状ブロック
２１  半径方向の外側端面
２２、２３  側面
２４、２５  目地保持部
３１  半径方向の内側端面
３２  半径方向の外側端面
３３、３４  側面
３５、３６、３７  目地保持部
４１、４２  小円ブロック配置
４５、４６、４７、５５、５６、５７、６５、６６、６７、７５、７６、７７  目地保持部
【図１】
0003124652.tif 000003
【図２】
0003124652.tif 000004
【図３】
0003124652.tif 000005
【図４】
0003124652.tif 000006
【図５】
0003124652.tif 000007